(57)【要約】【課題】  第１の球誘導部材によって遊技球が移動中に第２の球誘導部材を出現させ、第２の球誘導部材を利用して遊技球の移動経路を変化させることが可能な遊技機の提供を目的とする。【解決手段】  本発明の遊技機によれば、第１の球誘導部材９０が基本姿勢のときには、左案内路５７の先端部５７Ｓに達した遊技球が、第１の球誘導部材９０によって球転動部６０に誘導される一方、第１の球誘導部材９０が基本姿勢と排出姿勢との間に位置するときには、左案内路５７から流下された遊技球が、第１の球誘導部材９０と左案内路５７との間に張り出した第２の球誘導部材１００によって、再度、矩形窓４８Ｗを通って下側遊転部５２へ案内される。【選択図】  図１４
2005287644.tif 000002
【特許請求の範囲】
【請求項１】
遊技領域を転動する遊技球を受け入れ可能な球受入部を備えた第１の球誘導部材と、
前記球受入部を含む第１の球誘導部材が、第１位置と前記第１位置より下方の第２位置との間で回動可能となるように、前記第１の球誘導部材を回動可能に軸支した軸部と、を備え、
前記遊技領域に備えた球受渡し部から転動する遊技球が前記第１位置において前記球受入部に受け入れられて、その遊技球を受け入れた前記第１の球誘導部材が前記軸部により前記第２位置に向かって回動され、前記第２位置で前記球受入部から遊技球が排出される第１の遊技球誘導路を備えた遊技機において、
前記第１の球誘導部材が前記第１位置と前記第２位置との間を回動している時に、前記球受渡し部の下部に出現して前記球受渡し部からの遊技球を前記第１の球誘導部材とは異なる第２の球誘導部材により遊技球を誘導する前記第１の遊技球誘導路とは異なる第２の遊技球誘導路を備えたことを特徴とする遊技機。
【請求項２】
前記遊技領域には遊技の価値を付与する遊技球が通過可能な入球口が備えられていて、
前記第１の球誘導部材により前記第１の遊技球誘導路を移動する遊技球は、前記第２の球誘導部材により前記第２の遊技球誘導路を移動する遊技球よりも、前記入球口に入球する可能性が高いことを特徴とする請求項１記載の遊技機。
【請求項３】
前記遊技領域には、前記第１の球誘導部材が前記第２位置となった場合に前記第１の球誘導部材の球受入部が当接し、前記球受入部から排出された遊技球を転動させた後で流下させる球転動部が設けられ、
前記球転動部からの遊技球の出口の真下位置に前記入球口が配置されると共に、前記第２の遊技球誘導路を移動する遊技球は、前記球転動部へ到達しないことを特徴とする請求項２に記載の遊技機。
【請求項４】
前記入球口への遊技球の入球に起因して遊技の当否を判定するとともに、前記当否判定が当たりの場合には、遊技者に有利な特別遊技状態が発生することを特徴とする請求項２または３記載の遊技機。
【請求項５】
遊技領域には、前記遊技領域を流下した遊技球を受けて遊転させた後で再度流下させる上側遊転部と、前記上側遊転部から流下した遊技球を受けて遊転させた後で再度流下させる下側遊転部とが備えられ、
前記球受渡し部は、前記上側遊転部に設けられると共に、
前記第２の球誘導部材は、前記第１の球誘導部材が前記第１位置と前記第２位置との間に位置している場合に、前記球受渡し部から流下した遊技球を受けて、その遊技球を前記下側遊転部に案内することを特徴とする請求項１乃至４の何れかに記載の遊技機。
【請求項６】
前記第２の球誘導部材のうち遊技球を受ける面を凹状にしたことを特徴とする請求項１乃至５の何れかに記載の遊技機。
【請求項７】
前記第２位置で前記第１の球誘導部材の球受入部から遊技球が排出されると、前記第１の球誘導部材が前記第２位置から前記第１位置に向かって上昇するように構成され、
前記第１の球誘導部材が前記第２位置から前記第１位置に向かって上昇する動作に連動して、前記出現した第２の球誘導部材が、前記第１の球誘導部材の回動経路上から退避することを特徴とする請求項１乃至６の何れかに記載の遊技機。
【請求項８】
前記第１の球誘導部材を軸支した前記軸部に上方に、別の軸部を設け、その別の軸部に前記第２の球誘導部材を回動可能に軸支すると共に、前記第１の球誘導部材及び前記第２の球誘導部材を互いに略平行な状態を保持するためのリンク部材によってそれら第１の球誘導部材及び第２の球誘導部材を連結したことを特徴とする請求項１乃至７の何れかに記載の遊技機。
【請求項９】
前記第１の遊技球受入部が前記第１位置である場合に、前記リンク部材の少なくとも一部を収容する収容部を前記球誘導部材に形成したことを特徴とする請求項８記載の遊技機。
【請求項１０】
遊技球が前面を転動可能な遊技盤を備え、前記球誘導部材を軸支した前記軸部と前記球返し部材を軸支した前記別の軸部とは、前記遊技盤面に対して直交するように配置されたことを特徴とする請求項８乃至９の何れかに記載の遊技機。
【請求項１１】
前記遊技領域には、画像を表示する表示部が備えられ、前記第１の球誘導部材が前記第１位置と前記第２位置との間を移動する際に、前記表示部の前側を通るように構成されたことを特徴とする請求項１乃至１０の何れかに記載の遊技機。
【請求項１２】
前記第１の球誘導部材は、前記第１位置において前記球受入部に遊技球が受け入れられたときに、その遊技球の自重により回動することを特徴とする請求項１乃至１１の何れかに記載の遊技機。
【請求項１３】
前記第１の球誘導部材のうち前記第１の球誘導部材の軸部を挟んで前記球受入部と略反対側に、前記第１の球誘導部材を前記第１位置に維持するための付勢手段を設けたことを特徴とする請求項１乃至１２の何れかに記載の遊技機。
【請求項１４】
前記第２位置で前記遊技球が球受入部から排出されると、その遊技球の自重が前記第１の球誘導部材に作用しなくなったことと前記付勢手段によって、前記第１の球誘導部材が第２位置から第１位置に回動することを特徴とする請求項１３に記載の遊技機。
【発明の詳細な説明】
【技術分野】
【０００１】
本発明は、遊技機に関する。
【背景技術】
【０００２】
従来より、遊技球を受け入れる球受入部を有する球誘導部材を備えた遊技機がある。この球誘導部材は、遊技領域を流下する遊技球を第１位置で球受入部に受け入れ、その遊技球を保持した状態で第２位置まで回動し、第２位置で遊技球を球受入部から排出していた（例えば、特許文献１参照）。
【特許文献１】特開２００３−９３６３１号公報（［００４７］、図４、図６）
【発明の開示】
【発明が解決しようとする課題】
【０００３】
ところで、上記した従来の遊技機では、球誘導部材の球受入部に遊技球を受容し、第１位置から第２位置へ移動している間に、別の遊技球が球誘導部材に向かって流下してくることがある。この遊技球は、球誘導部材の球受入部には受容されないものの、球受入部に受容された遊技球と同様に、球誘導部材によって（詳細には、球誘導部材上を転動して）移動するので、遊技球の移動経路が単調になるという問題があった。
【０００４】
本発明は、上記事情に鑑みてなされたもので、第１の球誘導部材によって遊技球が移動中に第２の球誘導部材を出現させ、第２の球誘導部材を利用して遊技球の移動経路を変化させることが可能な遊技機の提供を目的とする。
【課題を解決するための手段】
【０００５】
上記目的を達成するため、請求項１に係る遊技機は、遊技領域を転動する遊技球を受け入れ可能な球受入部を備えた第１の球誘導部材と、球受入部を含む第１の球誘導部材が、第１位置と第１位置より下方の第２位置との間で回動可能となるように、第１の球誘導部材を回動可能に軸支した軸部と、を備え、遊技領域に備えた球受渡し部から転動する遊技球を第１位置に置いて球受入部に受け入れて、その遊技球を受け入れた第１の球誘導部材が軸部により第２位置に向かって回動し、第２位置で球受入部から受け入れた遊技球を排出する第１の遊技球誘導路を備えた遊技機において、第１の球誘導部材が第１位置と第２位置との間を回動している時に、球受渡し部の下部に出現して球受渡し部からの遊技球を第１の球誘導部材とは異なる第２の球誘導部材により遊技球を誘導する第１の遊技球誘導路とは異なる第２の遊技球誘導路を備えたところに特徴を有する。
【０００６】
請求項２の発明は、請求項１に記載の遊技機において、遊技領域には遊技の価値を付与する遊技球が通過可能な入球口が備えられていて、第１の球誘導部材により第１の遊技球誘導路を移動する遊技球は、第２の球誘導部材により第２の遊技球誘導路を移動する遊技球よりも、入球口に入球する可能性が高いところに特徴を有する。
【０００７】
請求項３の発明は、請求項２に記載の遊技機において、遊技領域には、第１の球誘導部材が第２位置となった場合に第１の球誘導部材の球受入部が当接し、球受入部から排出された遊技球を転動させた後で流下させる球転動部が設けられ、球転動部からの遊技球の出口の真下位置に入球口が配置されると共に、第２の遊技球誘導路を移動する遊技球は、球転動部へ到達しないところに特徴を有する。
【０００８】
請求項４の発明は、請求項２又は３に記載の遊技機において、入球口への遊技球の入球に起因して遊技の当否を判定するとともに、当否判定が当たりの場合には、遊技者に有利な特別遊技状態が発生するところに特徴を有する。
【０００９】
請求項５の発明は、請求項１乃至４の何れかに記載の遊技機において、遊技領域には、遊技領域を流下した遊技球を受けて遊転させた後で再度流下させる上側遊転部と、上側遊転部から流下した遊技球を受けて遊転させた後で再度流下させる下側遊転部とが備えられ、  球受渡し部は、上側遊転部に設けられると共に、第２の球誘導部材は、第１の球誘導部材が第１位置と第２位置との間に位置している場合に、球受渡し部から流下した遊技球を受けて、その遊技球を下側遊転部に案内するところに特徴を有する。
【００１０】
請求項６の発明は、請求項１乃至５の何れかに記載の遊技機において、第２の球誘導部材のうち遊技球を受ける面を凹状にしたところに特徴を有する。
【００１１】
請求項７の発明は、請求項１乃至６の何れかに記載の遊技機において、第２位置で第１の球誘導部材の球受入部から遊技球が排出されると、第１の球誘導部材が第２位置から第１位置に向かって上昇するように構成され、第１の球誘導部材が第２位置から第１位置に向かって上昇する動作に連動して、出現した第２の球誘導部材が、第１の球誘導部材の回動経路上から退避するところに特徴を有する。
【００１２】
請求項８の発明は、請求項１乃至７の何れかに記載の遊技機において、第１の球誘導部材を軸支した軸部に上方に、別の軸部を設け、その別の軸部に第２の球誘導部材を回動可能に軸支すると共に、第１の球誘導部材及び第２の球誘導部材を互いに略平行な状態を保持するためのリンク部材によってそれら第１の球誘導部材及び第２の球誘導部材を連結したところに特徴を有する。
【００１３】
請求項９の発明は、請求項８に記載の遊技機において、第１の遊技球受入部が第１位置である場合に、リンク部材の少なくとも一部を収容する収容部を球誘導部材に形成したところに特徴を有する。
【００１４】
請求項１０の発明は、請求項８又は９の何れかに記載の遊技機において、遊技球が前面を転動可能な遊技盤を備え、球誘導部材を軸支した軸部と球返し部材を軸支した別の軸部とは、遊技盤面に対して直交するように配置されたところに特徴を有する。
【００１５】
請求項１１の発明は、請求項１乃至１０の何れかに記載の遊技機において、遊技領域には、画像を表示する表示部が備えられ、第１の球誘導部材が第１位置と第２位置との間を移動する際に、表示部の前側を通るように構成されたところに特徴を有する。
【００１６】
請求項１２の発明は、請求項１乃至１１の何れかに記載の遊技機において、第１の球誘導部材は、第１位置において球受入部に遊技球が受け入れられたときに、その遊技球の自重により回動するところに特徴を有する。
【００１７】
請求項１３の発明は、請求項１乃至１２の何れかに記載の遊技機において、第１の球誘導部材のうち第１の球誘導部材の軸部を挟んで球受入部と略反対側に、第１の球誘導部材を第１位置に維持するための付勢手段を設けたところに特徴を有する。
【００１８】
請求項１４の発明は、請求項１乃至１３の何れかに記載の遊技機において、第２位置で遊技球が球受入部から排出されると、その遊技球の自重が第１の球誘導部材に作用しなくなったことと付勢手段によって、第１の球誘導部材が第２位置から第１位置に回動するところに特徴を有する。
【発明の効果】
【００１９】
［請求項１の発明］
上記のように構成した請求項１に係る発明によれば、第１の球誘導部材が第１位置と第２位置との間を回動している時に、球受渡し部の下部に出現して球受渡し部からの遊技球を第１の球誘導部材とは異なる第２の球誘導部材により遊技球を誘導する第１の遊技球誘導路とは異なる第２の遊技球誘導路を備えたので、第１の球誘導部材が回動している最中に球受渡し部に現れた遊技球を、第２の球誘導部材によって移動させて、遊技球の誘導経路を変化させ、注目させることができる。
【００２０】
［請求項２の発明］
請求項２の発明によれば、遊技領域には遊技の価値を付与する遊技球が通過可能な入球口が備えられていて、第１の球誘導部材により第１の遊技球誘導路を移動する遊技球は、第２の球誘導部材により第２の遊技球誘導路を移動する遊技球よりも、入球口に入球する可能性が高いため、遊技者にどの誘導経路を通るのか注目させることができる。
【００２１】
［請求項３の発明］
請求項３の発明によれば、遊技領域には、第１の球誘導部材が第２位置となった場合に第１の球誘導部材の球受入部が当接し、球受入部から排出された遊技球を転動させた後で流下させる球転動部が設けられ、球転動部からの遊技球の出口位置に入球口が配置されると共に、第２の遊技球誘導路を移動する遊技球は、球転動部へ遊技球が到達しないため、第１の球誘導部材の球受入部に遊技球が受け入れられた時点で、遊技者に入球口への入球に対する期待を第２の遊技球誘導路を移動する遊技球より抱かせることができる。また、第２位置において球受入部が球転動部に当接するので、第１の球誘導部材の回転を規制することができる。
【００２２】
［請求項４の発明］
請求項４の発明によれば、入球口への遊技球の入球に起因して遊技の当否を判定するとともに、当否判定が当たりの場合には、遊技者に有利な特別遊技状態が発生する
ため、遊技者にどの誘導経路を遊技球が通るのか注目させることができる。
【００２３】
［請求項５の発明］
請求項５の発明によれば、遊技球は、上側遊転部で遊転した後で下側遊転部に流下し、下側遊転部で遊転した後で再度流下される。また、上側遊転部を遊転する遊技球のうちのいくつかは、第１の誘導部材の球受入部に受け入れられて第２位置まで移動する。ここで、第１の誘導部材が第１位置と第２位置との間に位置しているときに、球受渡し部から流下した遊技球は、第２の誘導部材に一旦受け止められてから、下側遊転部に案内される。つまり、遊技球が上側遊転部から下側遊転部へ流下するまでの経路が複雑となり、遊技球の流下態様の趣向性が向上する。
【００２４】
［請求項６の発明］
請求項６の発明によれば、球返し部材のうち、遊技球を受ける面が凹状をなしたので、球受渡し部から流下した遊技球を確実に受けることができる。
【００２５】
［請求項７の発明］
請求項７の発明によれば、第２位置で第１の球誘導部材の球受入部から遊技球が排出されると、第１の球誘導部材が第２位置から第１位置に向かって上昇するように構成され、第１の球誘導部材が第２位置から第１位置に向かって上昇する動作に連動して、出現した第２の球誘導部材が、第１の球誘導部材の回動経路上から退避するため、第１の球誘導部材の動きを第２の球誘導部材が邪魔することを抑制できる。
【００２６】
［請求項８の発明］
請求項８の発明によれば、第１の球誘導部材を軸支した軸部に上方に、別の軸部を設け、その別の軸部に第２の球誘導部材を回動可能に軸支すると共に、第１の球誘導部材及び第２の球誘導部材を互いに略平行な状態を保持するためのリンク部材によってそれら第１の球誘導部材及び第２の球誘導部材を連結したので、第１の球誘導部材を寝かせて球受入部を第１位置から第２位置へ降下させた場合には、第２の球誘導部材を流下経路の途中で寝かせた状態にすることができ、球誘導部材を起こして球受入部を第２位置から第１位置へ移動させた場合には、第２の球誘導部材を起こして流下経路から退避させることができる。
【００２７】
［請求項９の発明］
請求項９の発明によれば、第１の遊技球受入部が第１位置である場合に、リンク部材の少なくとも一部を収容する収容部を球誘導部材に形成したため、第１の球誘導部材が第１位置にあるときには、球誘導部材とリンク部材とをコンパクトに纏めることができる。
【００２８】
［請求項１０の発明］
請求項１０の発明によれば、遊技球が前面を転動可能な遊技盤を備え、球誘導部材を軸支した軸部と球返し部材を軸支した別の軸部とは、遊技盤面に対して直交するように配置されたので、球誘導部材及び球返し部材を、遊技盤面に対して平行な面内で回動させることができる。
【００２９】
［請求項１１の発明］
請求項１１の発明によれば、遊技領域には、画像を表示する表示部が備えられ、第１の球誘導部材が第１位置と第２位置との間を移動する際に、表示部の前側を通るように構成されたので、第１の球誘導部材が第１位置と第２位置との間を移動する際に表示部の前側を通るという斬新な遊技演出を行うことができる。
【００３０】
［請求項１２の発明］
請求項１２の発明によれば、第１の球誘導部材は、第１位置において球受入部に遊技球が受け入れられたときに、その遊技球の自重により回動するので、モーター等の駆動手段を別途設けなくとも、第１の球誘導部材を第１位置から第２位置まで移動させることができる。
【００３１】
［請求項１３の発明］
請求項１３の発明によれば、第１の球誘導部材のうち第１の球誘導部材の軸部を挟んで球受入部と略反対側に、第１の球誘導部材を第１位置に維持するための付勢手段を設けたので、第２位置で遊技球が排出された後で、第１の球誘導部材の球受入部を第１位置に戻すことができる。これにより、第１の球誘導部材及び球受入部を第１位置と第２位置との間で繰り返し移動させることができる。
【００３２】
［請求項１４の発明］
請求項１４の発明によれば、第２位置で遊技球が球受入部から排出されると、その遊技球の自重が第１の球誘導部材に作用しなくなったことと付勢手段によって、第１の球誘導部材が第２位置から第１位置に回動するため、モーター等の駆動手段を別途設けなくとも、第１の球誘導部材を第２位置から第１位置まで移動させることができる。
【発明を実施するための最良の形態】
【００３３】
以下、本発明を適用したパチンコ遊技機に係る一実施形態を、図１〜図１４に基づいて説明する。図１に示すように、本実施形態のパチンコ遊技機の遊技盤１１には、ガイドレール１２で囲まれたほぼ円形の遊技領域Ｒ１が形成され、この遊技領域Ｒ１内に表示装置１３が備えられている。
【００３４】
表示装置１３は、遊技領域Ｒ１において向かって右寄りに偏在され、表示装置１３の左側端部とガイドレール１２との間には、ランプ風車１９と風車１７とが上下に並んで設けられている。表示装置１３の下方には、始動入賞口１４、（本発明の「入賞口」に相当する）大入賞口１５及び外れ球受け入れ口１６が、上から順に間隔を開けて並べて設けられている。また、遊技領域Ｒ１のうち始動入賞口１４を挟んだ左右の両側には、始動ゲート１８，１８が設けられている。左側の始動ゲート１８とガイドレール１２との間には、ガイドレール１２に沿って上下に一般入賞口２０，２１が設けられると共にサイドランプ２２が設けられている。さらに、遊技領域Ｒ１全体に亘って、図示しない複数の障害釘が起立している。
【００３５】
パチンコ遊技機のうち遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａの上面には、上皿２７Ａから下皿２７Ｂに遊技球を移動するためのボタン２９が設けられ、上皿２７Ａの両側部には、スピーカ５９Ｓ，５９Ｓが備えられている。
【００３６】
次に所要の各部位について詳説する。
始動ゲート１８は、門形構造をなしかつ検出スイッチを内蔵し、始動ゲート１８を通過した遊技球が検出スイッチにて検出される。そして、その検出信号に基づいて、後述する普通図柄表示領域２４の図柄が変動表示される。
【００３７】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され（図２の状態）、遊技球が可動翼片１４Ｃに案内されて始動入賞口１４に入り得る状態になる。
【００３８】
始動入賞口１４に遊技球が入賞すると、始動入賞口１４内に設けた検出スイッチが遊技球を検出し、その検出信号に基づいて表示装置１３が後述するように図柄を変動表示する。なお、表示装置１３が図柄を変動表示している間に、始動入賞口１４に入賞した入賞球は、例えば、４個まで累積カウントされる。
【００３９】
大入賞口１５は、横長に形成されて、常には、可動扉１５Ｔにて閉塞されている。そして、後述する所定条件の成立によって、パチンコ遊技機が「大当たり状態」（本発明の「特別遊技状態」に相当する）になると、遊技盤１１の裏に設けたソレノイドが駆動され、可動扉１５Ｔが所定期間に亘って前側に倒れる（図２の状態）。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００４０】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた検出スイッチが遊技球の入賞を検出すると、前述した終了条件を満たしてラウンドが終了した後で、連続して次のラウンドが実行される。また、計数入賞口内に設けた検出スイッチが遊技球の入賞を検出すると、継続入賞口への入賞球と合わせて、大入賞口１５への入賞球がカウントされ、これらが前記したように計１０個に達したか否かがチェックされる。
【００４１】
表示装置１３は、全体として枠形構造をなした装飾枠２３の後端面に、図示しない液晶モジュール（詳細には、ＴＦＴ−ＬＣＤモジュール）を組み付けてなる。液晶モジュールのうち、装飾枠２３に形成された横長の表示窓２３Ｗで取り囲まれた前面部分は、表示部３４となっており、遊技者は、装飾枠２３の表示窓２３Ｗを通して表示部３４に表示された画像を見ることができる。
【００４２】
表示装置１３の表示部３４には、図１に示すように、通常は、左、中、右の３つの特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ぞろ目になった場合に、遊技が「大当たり状態」になり、可動扉１５Ｔが開かれる。
【００４３】
表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けた検出スイッチが遊技球の通過を検出したときに、例えば、「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。また、普通図柄表示領域２４が変動表示している間に始動ゲート１８を通過した遊技球は、例えば、４つまで累積カウントされ、例えば、図示しないＬＥＤの点灯数で表示される。
【００４４】
ところで、装飾枠２３は、遊技盤１１に形成された図示しない取付窓に嵌め込まれて、周縁部から張り出した複数のフランジ部４９を遊技盤１１面に突き当てて固定されている。また、装飾枠２３の上辺から右側部に亘った部分は、遊技盤１１から前方（図２における紙面手前側）に突出している。
【００４５】
装飾枠２３の上辺部分と表示窓２３Ｗの右側部分とには、遊技球が通過する遊技球通路２６が形成されている。また、装飾枠２３の下辺部分には、遊技球が転動可能な前側ステージ２５Ｆと後側ステージ２５Ｂとが前後に並べて形成されている。さらに、後側ステージ２５Ｂの上方には、球転動部６０が設けられている。そして、遊技領域Ｒ１上を表示装置１３の上方から流下した遊技球が、装飾枠２３の上辺部分に上方を向いて開放した入球口３９から装飾枠２３内に転入し、遊技球通路２６を通過して、各ステージ２５Ｆ，２５Ｂ又は球転動部６０上に案内される。
【００４６】
遊技球通路２６は、装飾枠２３の上辺部分に形成された上辺通路４０と表示窓２３Ｗの右側部分に形成された右側通路５０とから構成される。
【００４７】
まず、上辺通路４０について説明する。上辺通路４０は、装飾枠２３の上辺の内部に形成された内部通路部４１を備える。内部通路部４１は、前記した入球口３９から装飾枠２３の上辺の左隅位置に形成された出球口４３に向かって屈曲しながら延びている。そして、図３に示すように、出球口４３は、表示窓２３Ｗの上辺よりも上側位置で右方向に開口している。
【００４８】
装飾枠２３のうち、表示窓２３Ｗの上辺より上側の部分には、帯板状の磁石板４２が内蔵されている。磁石板４２は、内部通路部４１の出球口４３の上方位置から、後述する右側通路５０の上方位置に向かって下方に傾斜して設けられている。これにより、入球口３９から装飾枠２３内に進入し、内部通路部４１内を転動した遊技球は、出球口４３において磁石板４２の左端部分に吸引される。そして、遊技球は磁石板４２の下面にぶら下がった状態のまま、磁石板４２の右端部分に向かって移動する（図３を参照）。ここで、磁石板４２の下面には、樹脂製の隔壁４４が敷設されており、この隔壁４４は、磁石板４２の右端部分において肉厚となっている。これにより、磁石板４２による遊技球の吸引力は、磁石板４２の右端部分にて弱められ、この位置、即ち、右側通路５０の上方位置で遊技球は自重によって磁石板４２から落下するように構成されている。
【００４９】
次に、遊技球通路２６を構成する右側通路５０について説明する。右側通路５０は、前記したように、磁石板４２の右端部よりも下方に設けられ、図４に示すように、囲壁４８の内部に上側遊転部５１と下側遊転部５２とを上下に備えてなる。
【００５０】
まず、上側遊転部５１について説明する。上側遊転部５１は、誘導路振り分け遊転皿５１Ａと、案内路５１Ｂとを上下に配置してなる。誘導路振り分け遊転皿５１Ａは、矩形板の中央を円形に陥没させた構造をなす。図５に示すように、誘導路振り分け遊転皿５１Ａの前端部上方の右端位置からは、遊技機前方（図５における下方）に向かって球受け樋５３が延設されている。この球受け樋５３は、断面が略円弧形状をなし、磁石板４２の右端部分の真下位置まで延びている（図３を参照）。また、球受け樋５３は、誘導路振り分け遊転皿５１Ａに向かって下方に傾斜しており、磁石板４２から落下した遊技球は、球受け樋５３に受けられて、その傾斜によって誘導路振り分け遊転皿５１Ａに案内される。
【００５１】
図４に示すように、誘導路振り分け遊転皿５１Ａの底面は、中心部に向かって緩やかに下方に傾斜している。また、図５に示すように、誘導路振り分け遊転皿５１Ａの中央部分には、遊技球１つ分の大きさの落下孔５４Ｌ，５４Ｒが左右に並んで形成されている。これらにより、球受け樋５３によって誘導路振り分け遊転皿５１Ａ上に案内された遊技球は、誘導路振り分け遊転皿５１Ａ上で、図５における反時計周りの方向に転動しながら、徐々に中央部分に移動し、落下孔５４Ｌ，５４Ｒの何れかから誘導路振り分け遊転皿５１Ａの下方に流下（落下）する。
【００５２】
誘導路振り分け遊転皿５１Ａの下方に設けられた案内路５１Ｂは、図６に示すように、左右方向の中間部分に起立した区画壁７１によって遊技球を誘導する経路が２つに分割されている。詳細には、案内路５１Ｂのうち、区画壁７１よりも右側に形成された右案内路５８は、図５に示すように、誘導路振り分け遊転皿５１Ａの右側の落下孔５４Ｒの真下位置から右方向へ向かい、途中で約９０°折れ曲がって遊技機前方（図５及び図６における下方）に向かって延びている。右案内路５８は落下孔５４Ｒの真下位置から先端部５８Ｓに向かって下方に傾斜しており、右案内路５８の先端部５８Ｓは、誘導路振り分け遊転皿５１Ａの前端縁よりも遊技機前方へ突出している。これにより、誘導路振り分け遊転皿５１Ａの右側の落下孔５４Ｒから流下（落下）した遊技球は、右案内路５８を通って誘導路振り分け遊転皿５１Ａの前端縁よりも前側の位置から下方に流下（落下）される。
【００５３】
一方、案内路５１Ｂのうち、区画壁７１よりも左側に形成された左案内路５７（本発明の「球受渡し部」に相当する）は、図５に示すように誘導路振り分け遊転皿５１Ａの左側の落下孔５４Ｌの真下位置から左方向に向かって下方に傾斜しながら延びている。そして、図６に示すように、左案内路５７の先端部５７Ｓが、囲壁４８に形成された矩形窓４８Ｗに臨んでいる。なお、図４及び図５に示すように、案内路５１Ｂのうち、落下孔５４Ｌ，５４Ｒの真下位置には、それぞれ三角突片７０，７０が設けられている。これにより落下孔５４Ｌ，５４Ｒから落下した遊技球は、これら三角突片７０，７０に当接することで速やかに各案内路５７，５８の先端部５７Ｓ，５８Ｓに向かって転動する。以上が上側遊転部５１の説明である。
【００５４】
上述した上側遊転部５１の下方に設けられた下側遊転部５２は、図７に示されており、上側遊転部５１に備えられた誘導路振り分け遊転皿５１Ａと同様に、矩形板の中央を円形に陥没させた構造をなす。下側遊転部５２の前端部の右端位置からは、遊技機前方（図７における下方）に向かって球受け樋５６が延設され、この球受け樋５６は、前記右案内路５８の先端部５８Ｓよりも遊技機前方へ突出している（図６を参照）。球受け樋５６は、先端部から下側遊転部５２に向かって下方に傾斜しており、右案内路５８の先端部から流下（落下）した遊技球は、この球受け樋５６に受け止められて、下側遊転部５２上に案内される。
【００５５】
図４に示すように、下側遊転部５２は、中心部に向かって緩やかに下方に傾斜している。また、図７に示すように、下側遊転部５２の中央部分には、遊技球１つ分の大きさの落下孔５５が３つ形成されている。これら３つの落下孔５５は、互いに１２０°ずつ離れた位置に設けられている。そして、球受け樋５６によって下側遊転部５２上に案内された遊技球は、下側遊転部５２上で、図７における反時計回りの方向に転動しながら徐々に中央部分に移動して、３つの落下孔５５の何れかから、下側遊転部５２の下方へ流下（落下）する（誘導経路が振り分けられる）。
【００５６】
図４に示すように、下側遊転部５２の下方には、前側ステージ案内路６４が設けられている。詳細には、前側ステージ案内路６４は、下側遊転部５２に形成された３つの落下孔５５のうち、右寄り位置に形成された２つの落下孔５５Ｒの下方に設けられている（図７を参照）。図４に示すように、前側ステージ案内路６４の上面は、緩やかに湾曲した円弧形状をなし、装飾枠２３の奥側から前側（図４における紙面奥側から手前側）に向かって下方に傾斜している。そして、前側ステージ案内路６４の前端部は、前側ステージ２５Ｆの右端部に連絡している。これにより、下側遊転部５２の落下孔５５Ｒから流下（落下）した遊技球は、前側ステージ案内路６４上に落下して、装飾枠２３の下辺に形成された前側ステージ２５Ｆへ案内される。なお、３つの落下孔５５のうち、左寄り位置に形成された１つの落下孔５５Ｌの真下部分は、後側ステージ２５Ｂの右端部となっている。つまり、下側遊転部５２の落下孔５５Ｌから流下（落下）した遊技球は、後側ステージ２５Ｂへ案内される。以上が下側遊転部５２の説明である。
【００５７】
次に、装飾枠２３の下辺部分に形成された前側ステージ２５Ｆ及び後側ステージ２５Ｂについて説明する。図３に示すように、前側ステージ２５Ｆは、装飾枠２３の左右両側辺を繋ぐように延びており、左右の両端部から中央部に向かって下るように傾斜している。図８に示すように、前側ステージ２５Ｆの中央部には、前側ステージ２５Ｆの奥側から前方に向かって若干下方に傾斜した緩斜面８０が形成されている。前側ステージ２５Ｆの左右両端寄り部分の前端縁には、流下防止壁８１が起立しており、遊技球が前側ステージ２５Ｆの中央部分以外の位置から装飾枠２３の下方に流下することが防止されている。なお、図２に示すように、前側ステージ２５Ｆの緩斜面８０の真下位置には、前記始動入賞口１４が配置されており、前側ステージ２５Ｆの緩斜面８０から下方へ流下した遊技球が、始動入賞口１４へ入賞し易くなっている。
【００５８】
一方、後側ステージ２５Ｂは、前側ステージ２５Ｆよりも装飾枠２３の奥側（図３における紙面奥側）に設けられかつ段付状に前側ステージ２５Ｆよりも高くなっている。後側ステージ２５Ｂも、前側ステージ２５Ｆと同様に、装飾枠２３の左右両側辺を繋ぐように形成されている。後側ステージ２５Ｂは、両端部から中央部に向かって下方に傾斜する一方、後側ステージ２５Ｂの中央部、即ち、前側ステージ２５Ｆの緩斜面８０の奥側部分には、山形に隆起した隆起部８３が形成されている（図３を参照）。そして、後側ステージ２５Ｂのうち、隆起部８３の左右両側の上面は、略円弧状に湾曲して凹形状をなすと共に後側ステージ２５Ｂの奥側から前端縁に向かうに従って下方に傾斜した緩斜面８４，８４が形成されている。さらに、後側ステージ２５Ｂのうち、緩斜面８４，８４が形成された部分以外の前端縁には落下防止壁８５が形成されている。これにより後側ステージ２５Ｂ上を転動した遊技球の一部は、後側ステージ２５Ｂの緩斜面８４，８４によって遊技機前方へ案内され、後側ステージ２５Ｂの前端縁から前側ステージ２５Ｆへ落下する。
【００５９】
ここで、後側ステージ２５Ｂの隆起部８３には、ワープ路８２が形成されている。ワープ路８２は、後側ステージ２５Ｂの上面と前側ステージ２５Ｆの上面とを繋ぐように延びている。詳細には、後側ステージ２５Ｂの上面には、ワープ路８２の球入口８６が上方に開口しており、前側ステージ２５Ｆと後側ステージ２５Ｂとの間に形成された段差壁９９には、ワープ路８２の球出口８８が前方に開口している。これにより、後側ステージ２５Ｂ上を転動する遊技球が、隆起部８３に形成された球入口８６に転入し、ワープ路８２を通って、球出口８８から前側ステージ２５Ｆ（より詳細には、緩斜面８０）上へ案内されるようになっている。なお、ワープ路８２の奥部、即ち、球入口８６の真下位置には、前方に向かって下方に傾斜した三角突片８７（図３を参照）が起立しており、球入口８６からワープ路８２内に転入した遊技球が、確実に遊技機前方（前側ステージ２５Ｆ側）へ向かって転がるように構成されている。以上が前側ステージ２５Ｆ及び後側ステージ２５Ｂの説明である。
【００６０】
図３に示すように、後側ステージ２５Ｂの上方には、球転動部６０が備えられている。詳細には、球転動部６０は、隆起部８３の真上位置に表示窓２３Ｗの下辺に沿って配設されている。球転動部６０は、横長の台形状をなし、上面は両端部から中央部に向かって緩やかに下方に傾斜している（図８を参照）。球転動部６０の中央部には、球転動部６０を上下に貫通した流下孔６１が形成され、この流下孔６１の真下位置には、後側ステージ２５Ｂの隆起部８３に形成された球入口８６が設けられている。これにより、球転動部６０上を転動し、流下孔６１から流下した遊技球は、後側ステージ２５Ｂの球入口８６から直接ワープ路８２へ転入するように構成されている。なお、球転動部６０の前端縁には、落下防止壁６２が形成されており、球転動部６０上で転動する遊技球が、球転動部６０の前端縁から前側に流下することが防止されている。また、ワープ路８２の球出口８８の真下位置に始動入賞口１４が設けられているので、球転動部６０からの遊技球の出口（球出口８８）の真下位置には、始動入賞口１４が設けられていることになる（図１を参照）。即ち、球転動部６０から流下した遊技球が、始動入賞口１４に向かって案内される。さらに、球転動部６０の下面と隆起部８３の上面との間の隙間は、遊技球の直径よりも若干大きくなっており、後側ステージ２５Ｂを左右に転動する遊技球が、球転動部６０と接触しないようになっている。
【００６１】
ところで、図９に示すように、囲壁４８のうち、表示窓２３Ｗ側の側壁には、縦長の矩形窓４８Ｗが形成されている。矩形窓４８Ｗの上側領域には、上側遊転部５１の左案内路５７の先端部５７Ｓが臨んでおり、矩形窓４８Ｗの下側領域は、下側遊転部５２と上側遊転部５１とで挟まれた空間に連通している。そして、常には、この矩形窓４８Ｗを側方から覆うようにして、本発明の第１の球誘導部材９０及び第２の球誘導部材（球返し部材）１００が備えられている。
【００６２】
第１の球誘導部材９０は、図１０にその断面構造が示されており、本体９１の上端部に、球受入部９２を備える一方、下端部に、金属製の重り部９３（本発明の「付勢手段」に相当する）を備え、これら球受入部９２と重り部９３との間に設けた軸部９４によって、装飾枠２３に回動可能に軸支されている。軸部９４は、囲壁４８の下端部に設けられた固定部材３０と、装飾枠２３の奥壁２３Ｋとの間に差し渡されており、遊技盤１１面に対して直交しかつ水平方向を向いている（図９を参照）。これにより、第１の球誘導部材９０は、遊技盤１１面に平行な面内で回動する。即ち、球受入部９２が遊技盤１１面に平行な面内で回動して上下に移動する。
【００６３】
ここで、重り部９３は、軸部９４よりも若干、右側通路５０側にずれた位置に重心が位置している。これにより、第１の球誘導部材９０には、図１０における時計回りのモーメントが働き、第１の球誘導部材９０は、図１０に示した基本姿勢（第１の球誘導部材９０の「第１位置」）に維持されている。
【００６４】
第１の球誘導部材９０は、本体９１の上端部から球受入部９２を側方に膨出させた構造をなし、この球受入部９２は、遊技球がちょうど１つ受容可能な大きさとなっている。本体９１のうち、軸部９４と球受入部９２との間には、略「く」の字形状をなした屈曲部９１Ｋが形成され、この屈曲部９１Ｋの内側には、凹所９６（本発明の「収容部」に相当する）が形成されている。また、本体９１のうち球受入部９２と屈曲部９１Ｋとの間には湾曲面９５が形成されており、この湾曲面９５を後述する第２の球誘導部材（球返し部材）１００に当接することで、第１の球誘導部材９０は、図１０に示した基本姿勢に位置決めされる。また、第１の球誘導部材９０が基本姿勢のときには、屈曲部９１Ｋに形成された凹所９６に第２の球誘導部材（球返し部材）１００の一部が収容される。なお、基本姿勢における第１の球誘導部材９０の球受入部９２の位置が、本発明の「第１位置」に相当する。
【００６５】
本体９１のうち、屈曲部９１Ｋと軸部９４との中間位置には、支軸９７が備えられている。支軸９７は、本体９１の後方（図１０における紙面奥側）に向かって起立して、遊技盤１１面と直交（図１１における左右方向）する方向に延びている。この支軸９７には、後述する第２の球誘導部材（球返し部材）１００に連結されたリンク部材１５０の一端部１５２が回動可能に連結されている。詳細には、支軸９７は、円筒形状をなし、図１１に示すように、リンク部材１５０の一端部１５２に形成された軸孔１５２Ａに挿入されている。そして、支軸９７の内部に形成された雌螺子部９７Ａに、リンク部材１５０の後面側から螺子１５１が螺合されている。これにより、第１の球誘導部材９０とリンク部材１５０とが支軸９７を中心に回動可能に連結されると共に、リンク部材１５０の軸孔１５２Ａからの支軸９７の抜け止めが図られている。
【００６６】
さて、第２の球誘導部材（球返し部材）１００は、図９及び図１０に示されており、基端部に備えた軸部１０２によって回動可能に軸支されている。第２の球誘導部材（球返し部材）１００は、図１０に示すように、底壁１００Ｓが円弧状に緩やかに湾曲している。また、第２の球誘導部材（球返し部材）１００の前端縁と後端縁には、図９に示すように、壁部１００Ｋ（図９を参照）が起立形成され、これら両壁部１００Ｋと底壁１００Ｓとで断面凹状の球受け凹所１０５が形成されている（図７を参照）。
【００６７】
第２の球誘導部材（球返し部材）１００を軸支した軸部１０２は、第１の球誘導部材９０を軸支した軸部９４よりも上方位置で、矩形窓４８Ｗの下端部分に差し渡されている。軸部１０２は、第１の球誘導部材９０を軸支した軸部９４と同様に、遊技盤１１面に対して直交しかつ水平方向を向いている。これにより、第２の球誘導部材（球返し部材）１００は、遊技盤１１面に平行な面内で回動する。
【００６８】
第２の球誘導部材（球返し部材）１００の基端部寄り位置には、ヒンジ片１０３が形成されている。ヒンジ片１０３は、第２の球誘導部材（球返し部材）１００の球受け凹所１０５が形成された側と反対側に形成され、底壁１００Ｓから側方に突出している。より詳細には、ヒンジ片１０３は、図９に示すように、底壁１００Ｓの前縁部に設けられており、先端部には、支軸１０４が形成されている。支軸１０４は、ヒンジ片１０３の後方（図９における紙面奥側）に向かって起立して、遊技盤１１面と直交するように延びている。そして、この支軸１０４に、リンク部材１５０の他端部１５３が回動可能に連結されている。詳細には、支軸１０４は、第１の球誘導部材９０に備えられた支軸９７と同様に、円筒形状をなし、リンク部材１５０の他端部１５３に形成された軸孔１５３Ａに挿入されている（図１１を参照）。そして、支軸１０４の内部に形成された雌螺子部１０４Ａに、リンク部材１５０の後面側から螺子１５１が螺合されている。これにより、第２の球誘導部材（球返し部材）１００とリンク部材１５０とが回動可能に連結されると共に、リンク部材１５０の軸孔１５３Ａからの支軸１０４の抜け止めが図られている。
【００６９】
つまり、第１の球誘導部材９０と第２の球誘導部材（球返し部材）１００とは、リンク部材１５０によって連結されている。そして、第１の球誘導部材９０が軸部９４を中心に回動した場合には、第２の球誘導部材（球返し部材）１００も軸部１０２を中心として回動し、第１の球誘導部材９０と第２の球誘導部材（球返し部材）１００とが常に略平行な状態を保つように構成されている。
【００７０】
ここで、図１０に示すように、左案内路５７の下面には、左案内路５７の幅方向（図１０における紙面と直交する方向）に延びた突条１３０が設けられている。そして、第１の球誘導部材９０が基本姿勢となったときに、第２の球誘導部材（球返し部材）１００の先端部がこの突条１３０に当接することで、第２の球誘導部材（球返し部材）１００の囲壁４８の内側への回動が規制され、球返し部材１００も基本姿勢となると共に、矩形窓４８Ｗのうち、左案内路５７よりも下側領域が、第２の球誘導部材（球返し部材）１００によって塞がれる。
【００７１】
次に、上記構成からなるパチンコ遊技機の作用・効果を説明する。
操作ノブ２８を操作して、遊技球が連続的に遊技盤１１の遊技領域における上方部分に弾き出されると、それら遊技球は、障害釘、ランプ風車１７，風車１９等に当たって向きを変えられ、ランダムな経路を通って遊技領域の下方に向かう。
【００７２】
遊技球が、下方に向かう途中で始動ゲート１８を通過すると、普通図柄表示領域２４にて「０」〜「９」までの数字を所定期間に亘って変動表示した後、所定の数字を確定表示する。そして、確定表示された数字が奇数の場合に、遊技盤１１の裏に設けたソレノイドが駆動されて、可動翼片１４Ｃ，１４Ｃが所定期間に亘って横に倒れ、始動入賞口１４が開放される。
【００７３】
遊技球が、下方に向かう途中で、各入賞口１４，１５，２０，２１に入ると、その遊技球は、遊技盤１１の裏側に取り込まれ、代わりに所定数の賞球が上皿２７Ａに払い出される。
【００７４】
また、遊技球が始動入賞口１４に入った場合には、表示装置１３に表示された各特別図柄１３Ａ，１３Ｂ，１３Ｃ（図１参照）が、所定時間に亘ってスクロール表示された後で、順次に停止表示される。そして、３つの特別図柄１３Ａ，１３Ｂ，１３Ｃが、ぞろ目になると、遊技盤１１の裏に設けたソレノイド（図示せず）が駆動され、可動扉１５Ｔが所定期間に亘って前側に倒れて、大入賞口１５が開いた「大当たり状態」になる。その大入賞口１５が開放しているラウンド中に、大入賞口１５内の継続入賞口に遊技球が入ると、そのラウンドが終了した後で、連続して次のラウンドが実行され、これが最高で１５ラウンドまで繰り返される。
【００７５】
さて、幾つかの遊技球は、図３に示すように、表示装置１３の上部の装飾枠２３の上辺部分に形成された入球口３９に入り込み、内部通路部４１を通過して、出球口４３に達する。出球口４３に達した遊技球は、磁石板４２の磁力によって上方に吸引され、磁石板４２にぶら下がった状態で、表示窓２３Ｗの上方を左端から右端へ向かって移動する。
【００７６】
磁石板４２の右端に達した遊技球は、自重によって下方に流下する。この遊技球は、球受け樋５３上に落下し、球受け樋５３の傾斜によって誘導路振り分け遊転皿５１Ａに向かって転動する。
【００７７】
誘導路振り分け遊転皿５１Ａ上に転入した遊技球は、誘導路振り分け遊転皿５１Ａ上を図５における反時計回りの方向へ転がりながら、徐々に中心部分に向かう。そして、誘導路振り分け遊転皿５１Ａに形成された左右２つの落下孔５４Ｌ，５４Ｒの何れかから、誘導路振り分け遊転皿５１Ａの下方へ流下（落下）する。
【００７８】
ここで、まず、右側の落下孔５４Ｒから流下（落下）した遊技球の流下態様について説明する。落下孔５４Ｒから流下（落下）した遊技球は、落下孔５４Ｒの真下位置に設けられた右案内路５８上に落下する。そして、右案内路５８の傾斜によって、遊技機前方（遊技者側）（図３における紙面手前側）へ向かって転がる。
【００７９】
右案内路５８の先端部５８Ｓに達した遊技球は下方に流下（落下）し、右案内路５８の真下位置に設けられた球受け樋５６上に落下する。すると遊技球は、球受け樋５６の傾斜によって、下側遊転部５２に案内される。
【００８０】
下側遊転部５２に案内された遊技球は、下側遊転部５２上を図７における反時計回りの方向へ転がりながら、徐々に中心部分に向かう。そして、下側遊転部５２に形成された３つの落下孔５５の何れかから、下側遊転部５２の下方へ流下（落下）する。
【００８１】
３つの落下孔５５のうち、右側の２つの落下孔５５Ｒから流下（落下）した遊技球は、前側ステージ案内路６４上に落下し、前側ステージ案内路６４の傾斜によって遊技機前方へ転がって、前側ステージ２５Ｆの右端位置に案内される。
【００８２】
前側ステージ２５Ｆの右端位置に達した遊技球は、前側ステージ２５Ｆの傾斜によって、前側ステージ２５Ｆの中央部分に向かって転動する。そして、遊技球は前側ステージ２５Ｆ上を左右に往復しながら、徐々に遊技機前方へ向かい、前端縁から表示装置１３の下方に向かって流下される。
【００８３】
一方、３つの落下孔５５のうち、左側の１つの落下孔５５Ｌから流下（落下）した遊技球は、後側ステージ２５Ｂの右端部上に落下する。そして、後側ステージ２５Ｂの傾斜によって、後側ステージ２５Ｂの中央部分に向かって転動する。
【００８４】
後側ステージ２５Ｂの中央部分には、隆起部８３が形成されているが、通常、遊技球は、この隆起部８３を乗り越えて、後側ステージ２５Ｂの左端位置まで達する。そして、左端位置にて折り返して、再び隆起部８３に向かって転動する。ここで、ほとんどの遊技球は、後側ステージ２５Ｂを左右に転動する間に複数回に亘って隆起部８３を乗り越え、徐々に勢いが落とされる。そして、後側ステージ２５Ｂを転動する多くの遊技球は、左右の緩斜面８４から前側ステージ２５Ｆ上に落下する。後側ステージ２５Ｂの緩斜面８４から流下した遊技球は、前側ステージ２５Ｆを横切って前方へ転がり、表示装置１３の下方へ流下される。
【００８５】
また、後側ステージ２５Ｂを転動する遊技球の一部は、隆起部８３に形成された球入口８６からワープ路８２に転入する。ワープ路８２に転入した遊技球は、球出口８８から前側ステージ２５Ｆの中央部に形成された緩斜面８０上に排出され、上側ステージ２５Ｆを横切って表示装置１３の下方に流下される。
【００８６】
ここで、ワープ路８２の球出口８８の真下位置には、始動入賞口１４が配設されている。従って、後側ステージ２５Ｂの緩斜面８４から前側ステージ２５Ｆ上を横切って表示装置１３の下方へ流下された遊技球に比較して、ワープ路８２を通って、前側ステージ２５Ｆの緩斜面８０から流下された遊技球の方が、始動入賞口１４へ入賞し易くなっている。これにより、後側ステージ２５Ｂからワープ路８２へ遊技球が転入した場合には、始動入賞口１４への入賞の期待を高めることができる。以上が誘導路振り分け遊転皿５１Ａの右側の落下孔５４Ｒから流下した遊技球の流下態様の説明である。
【００８７】
さて、誘導路振り分け遊転皿５１Ａの左側の落下孔５４Ｌから流下（落下）した遊技球の流下態様は以下のようになる。即ち、左側の落下孔５４Ｌから流下（落下）した遊技球は、落下孔５４Ｌの真下位置に設けられた左案内路５７上に落下し、左案内路５７の傾斜によって矩形窓４８Ｗ側へ向かって転がる。すると、遊技球は、左案内路５７の先端部５７Ｓから矩形窓４８Ｗを通って、基本姿勢に保持されている第１の球誘導部材９０の球受入部９２に受容される。ここで、球受入部９２の底面は、左案内路５７の先端部５７Ｓの底面よりも低くなっているので、スムーズに遊技球の受渡しを行うことができる（図１２を参照）。
【００８８】
球受入部９２に遊技球が受容されると、第１の球誘導部材９０は受容した遊技球の自重によって軸部９４を中心として、反時計回りに回動し、球受入部９２は遊技球を保持した状態で徐々に降下する。このとき、第１の球誘導部材９０（球受入部９２）は、表示部３４の前側を横切って移動するので、遊技球の流下態様を斬新なものとすることができる（図１３を参照）。
【００８９】
また、第１の球誘導部材９０が反時計回りに回動すると、リンク部材１５０によって第１の球誘導部材９０と連結された第２の球誘導部材（球返し部材）１００も、軸部１０２を中心として反時計回りに回動される。すると、図１３に示すように、第２の球誘導部材（球返し部材）１００が徐々に寝かされて、左案内路５７の先端部５７Ｓと第１の球誘導部材９０との間に張り出した状態となる。
【００９０】
第１の球誘導部材９０がさらに回動し、球受入部９２の先端が球転動部６０の上面に当接した排出姿勢となると、球受入部９２から球転動部６０上に遊技球が排出される（図９及び図１４を参照）。ここで、第１の球誘導部材９０により左案内路５７の先端部５７Ｓから球転動部６０に達するまでの遊技球の移動経路が本発明の「第１の遊技球誘導路」に相当する。遊技球が球受入部９２から排出されると、第１の球誘導部材９０には、遊技球の自重が作用しなくなり、重り部９３の自重によって時計回り方向に回動される。また、このとき、第１の球誘導部材９０の回動に連動して第２の球誘導部材（球返し部材）１００は徐々に起こされ、左案内路５７と第１の球誘導部材９０との間から退避する。そして、第１の球誘導部材９０が基本姿勢（第１の球誘導部材９０の「第１位置」）となると、第２の球誘導部材（球返し部材）１００の先端部が突条１３０に当接して矩形窓４８Ｗの下側領域を覆うと共に、球受入部９２が矩形窓４８Ｗの上側領域において左案内路５７に対面する基本姿勢となる。なお、排出姿勢における第１の球誘導部材９０の位置が本発明における第１の球誘導部材９０の「第２位置」に相当する。このように、第１の球誘導部材９０が基本姿勢となると、第２の球誘導部材（球返し部材）１００は、左案内路５７と第１の球誘導部材９０との間から退避するので、第１の球誘導部材９０の球受入部９２を左案内路５７の先端部５７Ｓに連結させることができ、遊技球をスムーズに左案内路５７から球受入部９２に移動させることができる。また、第１の球誘導部材９０が排出姿勢となると、球受入部９２が球転動部６０の上面に当接して、反時計回り方向への回動が停止するので、第１の球誘導部材９０が一回転することを規制できる。しかも、第１の球誘導部材９０が基本姿勢（「第１位置」）のときには、第２の球誘導部材（球返し部材）１００のヒンジ片１０３が、第１の球誘導部材９０の本体９１に形成された凹所９６内に収容されるので、基本姿勢において第１の球誘導部材９０と第２の球誘導部材（球返し部材）１００とをコンパクトに纏めることができる。
【００９１】
第１の球誘導部材９０（球受入部９２）によって球転動部６０上に排出された遊技球は、球転動部６０の中央部に向かって転がって、流下孔６１から下方に流下する。この遊技球は、後側ステージ２５Ｂ（より詳細には、隆起部８３）の上面に形成された球入口８６に直接入球し、ワープ路８２を通って球出口８８から、前側ステージ２５Ｆの緩斜面８０を通って表示装置１３の下方に流下する。つまり、球転動部６０上で転動した遊技球は、ほぼ確実に始動入賞口１４へ入賞する。これにより、第１の球誘導部材９０の球受入部９２に遊技球が受容され、第１の球誘導路を通っている時点で、遊技者に始動入賞口１４への入球に対する期待を抱かせることができる。
【００９２】
ところで、第１の球誘導部材９０が基本姿勢（「第１位置」）と排出姿勢（「第２位置」）との間に位置する間に、次の遊技球が左案内路５７から流下する場合がある。この場合には、左案内路５７から流下された遊技球が、第１の球誘導部材９０と左案内路５７との間に張り出した第２の球誘導部材（球返し部材）１００（詳細には、球受け凹所１０５）に受け止められる。そして、第２の球誘導部材（球返し部材）１００に受け止められた遊技球は、第２の球誘導部材（球返し部材）１００の傾きによって、再度、矩形窓４８Ｗを通って下側遊転部５２へ案内される。この球返し部材１００により左案内路５７の先端部５７Ｓから下側遊転部５２へ達するまでの遊技球の移動経路が本発明の「第２の遊技球誘導路」に相当する。ここで、球受け凹所１０５は、凹状をなしているので、左案内路５７の先端部５７Ｓから流下した遊技球を確実に受け止めることができる。また、上側遊転部５１の左案内路５７から矩形窓４８Ｗを通って側方に飛び出した遊技球が、第２の球誘導部材（球返し部材）１００に受け止められて、再度、矩形窓４８Ｗを通って下側遊転部５２に案内されるので、上側遊転部５１から下側遊転部５２へ向かう遊技球の誘導（流下）経路が複数種類となり、遊技球の流下態様の趣向性を向上させることができる。また、第１の遊技球誘導経路を流下した遊技球と第２の遊技球誘導経路を流下した遊技球とでは、前述の通り、始動入賞口１４への入球する確率が異なり、第１の遊技球誘導経路を通った遊技球の方が第２の遊技球誘導経路を流下する遊技球よりも始動入賞口１４への入球する確率が高くなっている。
【００９３】
このように、本実施形態によれば、第１の球誘導部材９０が基本姿勢（「第１位置」）のときには、左案内路５７の先端部５７Ｓに達した遊技球が、第１の球誘導部材９０によって球転動部６０に誘導される一方、第１の球誘導部材９０が基本姿勢（「第１位置」）と排出姿勢（「第２位置」）との間に位置するときには、左案内路５７から流下された遊技球が、第１の球誘導部材９０と左案内路５７との間に張り出した第２の球誘導部材（球返し部材）１００（詳細には、球受け凹所１０５）に受け止められ、第２の球誘導部材（球返し部材）１００によって、再度、矩形窓４８Ｗを通って下側遊転部５２へ案内される。つまり、第１の球誘導部材９０が回動中に出現する第２の球誘導部材１００によって、遊技球の移動経路を、第１の球誘導部材９０による遊技球の移動経路とは異ならせることができる。そして、遊技球の移動経路が変化することで遊技者に注目させることができる。
【００９４】
また、第１の球誘導部材９０が基本姿勢から排出姿勢へ移行する間、換言すれば、球受入部９２が遊技球を左案内路５７から球転動部６０へ誘導している間に、左案内路５７から流下した次の遊技球は、第２の球誘導部材（球返し部材）１００に受け止められるので、第１の球誘導部材９０や球受入部９２に受容されている遊技球に衝突することが防がれる。従って、第１の球誘導部材９０によって遊技球を安定して左案内路５７から球転動部６０へ移動させることができる。また、第１の球誘導部材９０の基本姿勢から排出姿勢への移行時間を従来よりも長くした場合でも、同様な効果を奏することができる。
【００９５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態においては、遊技機の一例としてパチンコ遊技機を例示したが、本発明はこれに限られず、例えばアレンジボール等に本発明を適用してもよい。
【００９６】
（２）前記実施形態においては、第１の球誘導部材９０及び第２の球誘導部材（球返し部材）１００は、遊技盤１１面と平行な面内で回動するように構成されていたが、第１の球誘導部材９０を軸支した軸部９４及び第２の球誘導部材（球返し部材）１００を軸支した軸部１０２を、共に遊技盤１１面に平行かつ水平に配置し、第１の球誘導部材９０及び第２の球誘導部材（球返し部材）１００が遊技盤１１面に直交する面内で回動するようにしてもよい。
【００９７】
（３）前記実施形態においては、球受入部９２には遊技球を１つ受容可能な構成であったが、複数の遊技球を受容可能な構成としてもよい。
【００９８】
（４）前記実施形態においては、第２の球誘導部材（球返し部材）１００は、左案内路５７から流下した遊技球を受けて、下側遊転部５２に案内するように構成されていたが、表示装置１３の下方に直接流下させるようにしてもよい。
【００９９】
（５）前記実施形態においては、第１の球誘導部材９０を基本姿勢に維持するための付勢手段として重り部９３を用いていたが、例えば、バネを用いてもよい。
【０１００】
（６）前記実施形態においては、第１の球誘導部材９０は、球受入部９２に受容した遊技球を左案内路５７から球転動部６０へ移動させていたが、遊技領域Ｒ１の第１位置からその第１位置よりも下方の第２位置へ移動させる構成であれば、この構成に限るものではない。
【０１０１】
（７）前記実施形態では、第１の球誘導部材９０及び第２の球誘導部材（球返し部材）１００を装飾枠２３に設けていたが、遊技領域Ｒ１を転動する遊技球を第１の球誘導部材９０の球受入部９２が受け入れ可能な位置であれば、遊技領域Ｒ１における他の位置に設けてもよい。
【０１０２】
（８）前記実施形態では、第１の球誘導部材９０の球受入部９２は、左案内路５７から遊技球を受け入れて降下し、その遊技球を球転動部６０に排出していたが、遊技領域Ｒ１の第１位置で遊技球を受容して、その第１位置よりも下方の第２位置で遊技球を排出する構成であれば、これに限るものではない。例えば、左案内路５７から受け入れた遊技球を後側ステージ２５Ｂに排出するようにしてもよい。
【図面の簡単な説明】
【０１０３】
【図１】本発明の一実施形態に係るパチンコ遊技機の正面図
【図２】遊技盤の正面図
【図３】装飾枠の正面図
【図４】右側通路の正面図
【図５】図４におけるＸ−Ｘ断面図
【図６】図４におけるＹ−Ｙ断面図
【図７】図４におけるＺ−Ｚ断面図
【図８】前側ステージ、後側ステージ及び球転動部の斜視図
【図９】球誘導部材及び球返し部材の斜視図
【図１０】球誘導部材及び球返し部材の正断面図
【図１１】球誘導部材及びリンク部材の側面図
【図１２】基本姿勢における球誘導部材の側面図
【図１３】基本姿勢から排出姿勢へ移行する途中の球誘導部材の側面図
【図１４】排出姿勢における球誘導部材の側面図
【符号の説明】
【０１０４】
１１    遊技盤
１４    始動入賞口（入賞口）
３４    表示部
５１    上側遊転部
５２    下側遊転部
５７    左案内路（球受渡し部）
６０    球転動部
９０    第１の球誘導部材
９２    球受入部
９４    軸部
９６    凹所（収容部）
１００    第２の球誘導部材（球返し部材）
１０２    軸部
１５０    リンク部材
Ｒ１    遊技領域
【図１】
2005287644.tif 000003
【図２】
2005287644.tif 000004
【図３】
2005287644.tif 000005
【図４】
2005287644.tif 000006
【図５】
2005287644.tif 000007
【図６】
2005287644.tif 000008
【図７】
2005287644.tif 000009
【図８】
2005287644.tif 000010
【図９】
2005287644.tif 000011
【図１０】
2005287644.tif 000012
【図１１】
2005287644.tif 000013
【図１２】
2005287644.tif 000014
【図１３】
2005287644.tif 000015
【図１４】
2005287644.tif 000016